(57)【要約】【課題】排他処理を不要として遠隔無線制御の設定が簡単になり、手続きコードも不要となり、コードの使用効率を向上させ、かつ制御コードの再送必要／不必要の判別も容易としたレピータによる無線遠隔制御方法を提供することを目的とする。【解決手段】レピータ２０による無線遠隔制御方法であって、有線通信系制御の入出力ポートと機能指示キーである例えばＰＦキーに無線通信系制御の機能制御コードを割り当て、かつ機能は有線通信系制御の入出力ポートやＰＦキーと共有とすると共に、機能に割り当てられた機能制御コードを受領した時点と該機能制御コードに基づく機能を実行した時点との少なくとも何れか一方、または両方において応答情報を送出させる。【選択図】        図１
2005236822.tif 000002
【特許請求の範囲】
【請求項１】
有線通信系制御の入出力ポートと機能指示キーに無線通信系制御の機能制御コードを割り当て、かつ機能は有線通信系制御の入出力ポートや機能指示キーと共有とすると共に、機能に割り当てられた機能制御コードを受領した時点と該機能制御コードに基づく機能を実行した時点との少なくとも何れか一方、または両方において応答情報を送出させるようにすることを特徴とするレピータによる無線遠隔制御方法。
【発明の詳細な説明】
【技術分野】
【０００１】
本発明はレピータによる無線遠隔制御方法に関する。
【背景技術】
【０００２】
無線通信機において、モード切換指示キーからの指示に基づいて送受信部の機能が通常の無線通信モードとＤＴＭＦ符号列送信モードに切り換えられ、送受信部の機能がＤＴＭＦ符号列送信モードに切り換えられた状態において、各指示キーに対応させた機能が全指示キーの表示と対応して表示され、次いで指示キーが操作されると送受信部が送信状態に切り換えられ、操作された指示キーに対応して信号発生部から出力させたＤＴＭＦ符号列が送受信部から送信され、該ＤＴＭＦ符号列の送信終了により送受信部が受信状態に制御される無線通信機が知られている（例えば、特許文献１参照）。
【特許文献１】登録実用新案第２６００５３９号公報
【０００３】
このＤＴＭＦ符号列の受信をした無線通信機においてＤＴＭＦ符号列の内容に基づいて、例えば、他の装置を無線制御によって制御することも可能である。
【０００４】
また、従来レピータを介して被制御機器を遠隔制御するには、図７に示すように、レピータを介して無線によって制御指示をする無線通信系制御と、レピータを介して有線によって制御指示をする有線通信系制御と、直接レピータを操作して制御指示を行うローカル系とがあった。
【０００５】
図７において参照符号１０はレピータを示し、参照符号１１は無線通信系制御における機能と機能制御コードとの対応関係の一部および手続きと手続きコードとの対応関係の一部を示し、参照符号１２は有線通信系制御における機能と入力ポートとの対応関係（参照符号１２１）の一部および機能と出力ポートとの対応関係（参照符号１２２）の一部を示し、参照符号１３は機能と機能指示キーである例えばＰＦキー（Programmable  Function）との対応関係の一部を示している。
【０００６】
しかしながら、これらはそれぞれ独立した制御指示系であるため機能の設定と確認を独立して行わざるを得なかった。また、設定できる機能は予め用意された機能中から選択する方法であり、機能が設定されていない場合は、他の制御指示系では利用できないので無駄になっていた。無線通信系制御では、機能制御コードの他に、機能制御コードを受領したか否かを通知する専用のコード（Ａｃｋ／Ｎａｃｋコード）を必要とし、コード使用効率に無駄があった。また、遠隔操作ではないが、入力としてＰＦキーも用意されている。これも有線通信系制御や無線通信系制御とは独立して設定するので、さらに設定と確認が複雑となっていた。
【発明の開示】
【発明が解決しようとする課題】
【０００７】
しかしながら、無線通信系制御と有線通信系制御、無線通信系制御とＰＦキーが、それぞれ独立であるため、別々に機能設定を行い、別々に動作確認を行う必要がある。このため、レピータの設置に莫大な時間がかかるという問題点があった。
【０００８】
また、無線通信系制御の場合、機能制御コードを受領したか否かの情報を返す必要があるため、一つの制御指示当たり、必ず一つの手続きコードを必要とする問題点もあった。また、無線通信系制御と有線通信系制御とＰＦキー系は独立の系のために、３者間の制御間で優先制御もしくは排他制御を必要とする問題点がある。このため、無線通信系制御で制御を行うためには、無線通信系制御のモードに入ったり、無線通信系制御のモードから出たりする（Ｅｎｔｅｒ／Ｅｘｉｔ）必要があり、このためにモード制御コードを含む手続きコードを機能制御コードとは別に必要とする問題点が生ずる。
【０００９】
Ｅｎｔｅｒ／Ｅｘｉｔのモード制御コードと機能制御コードでは制御内容が異なるので区別することが必要となり、このためにＡｃｋ／Ｎａｃｋコードもモード制御コードと機能制御コードで分ける必要があり、手続きコードは少なくとも、
無線通信系制御モードＥｎｔｅｒ
無線通信系制御モードＥｘｉｔ
無線通信系制御モードＡｃｋ
無線通信系制御モードＮａｃｋ
機能制御Ａｃｋ
機能制御Ｎａｃｋ
の６種類が必要になる。
【００１０】
また、無線通信系制御、有線通信系制御、ローカル系が独立制御のために、有線通信系制御で未使用の入出力ポートがあっても、無線通信系制御では利用することができないという問題点もあった。この逆に、無線通信系制御で未使用のコードがあっても、有線通信系制御で利用することができないという問題点もあった。
【００１１】
本発明は、排他処理を不要として遠隔無線制御の設定が簡単になり、手続きコードも不要となり、コードの使用効率を向上させ、かつ制御コードの再送必要／不必要の判別も容易としたレピータによる無線遠隔制御方法を提供することを目的とする。
【課題を解決するための手段】
【００１２】
本発明にかかるレピータによる無線遠隔制御方法は、有線通信系制御の入出力ポートと機能指示キーに無線通信系制御の機能制御コードを割り当て、かつ機能は有線通信系制御の入出力ポートや機能指示キーと共有とすると共に、機能に割り当てられた機能制御コードを受領した時点と該機能制御コードに基づく機能を実行した時点との少なくとも何れか一方、または両方において応答情報を送出させるようにすることを特徴とする。
【発明の効果】
【００１３】
本発明のレピータによる無線遠隔制御方法によれば、有線通信系制御の入出力ポートと機能指示キーに無線通信系制御の機能制御コードを割り当て、かつ機能は有線通信系制御の入出力ポートや機能指示キーと共有としたことにより、有線通信系制御と機能指示キーの設定、確認を行えば、無線通信系制御の設定、確認は無線通信系制御のみの機能に対するものに限定できるので設定、確認が簡易になり、不具合発生時の原因切り分けも容易に行える。
【００１４】
また、機能に割り当てられた機能制御コードを受領した時点と該機能制御コードに基づく機能を実行した時点との少なくとも何れか一方、または両方において応答情報を送出させるようにしたことにより、次のことが可能となる。以下、機能に割り当てられた機能制御コードを受領した時点の応答情報を前トランスポンドと記し、機能制御コードに基づく機能を実行した時点の応答情報を後トランスポンドと記す。
【００１５】
後トランスポンドのみを利用しては、Ａｃｋ／Ｎａｃｋコードに代えることができて、機能制御コードに基づく機能が実行されないときには後トランスポンドが送出されず、再送制御を行うことができて、Ａｃｋ／Ｎａｃｋコードは不要となる。
【００１６】
両トランスポンドを利用し、両トランスポンドが出力されないときは通信環境の変化が考えられ、同じ機能制御コードの再送を試みることができる。また、両トランスポンドを利用して、前トランスポンドは出力されたが、後トランスポンドが出力されないときは、機能制御コードに基づく機能の実行が不可能と判断して、再度同じ機能制御コードを送信する前にレピータの状態を変える機能制御コードを先に送信する。このようにすれば、再送された機能制御コードの受領の可能性が向上する。
【００１７】
機能指示キーを押す、もしくは入出力ポートを制御する代わりに、無線通信系制御の機能制御コードで制御を行うので、排他処理や優先処理が不要になり、機能指示キーや入出力ポートによる場合と同等の処理が無線通信系制御による機能制御コードで行える。
【００１８】
したがって、手続きコードは不要となり、コードを効率よく利用でき、受領したコードが機能制御コードか否か、手続きコードか否かのコード識別も不要となる。
【００１９】
有線通信系制御の機能が設定されていない入力ポートにも無線通信系制御の機能制御コードを割り当てることができるようにすることで、前記入力ポートに所望のセンサ例えばドアセンサやスイッチ入力を接続すれば、ドアセンサやスイッチの状態により無線通信系制御による、ドア開を報知する機能制御コードを送信することもできる。また、逆に、有線通信系制御の機能が設定されていない出力ポートに無線通信系制御の機能制御コードを割り当てられるようにしたので、リレーやスイッチなどを介して被制御機器を制御することも可能になった。
【発明を実施するための最良の形態】
【００２０】
以下、本発明にかかるレピータによる無線遠隔制御方法を実施の形態によって説明する。
【００２１】
図１は本発明の実施の形態にかかるレピータによる無線遠隔制御方法の説明に供する模式図である。
【００２２】
図１において参照符号２０はレピータを示し、参照符号１は無線通信系制御における手続きと手続きコードとの対応関係の一部を示し、参照符号２は有線通信系制御における機能と入力ポートと機能制御コードとの対応の関係の一部との対応関係（参照符号２１）の一部および機能と出力ポートと機能制御コードとの対応の関係の一部との対応関係（参照符号２２）の一部を示し、参照符号１３は機能と機能指示キーである例えばＰＦキーとの対応関係の一部と機能制御コードとの対応関係の一部とを示している。
【００２３】
ここで、本発明の実施の形態にかかるレピータ２０による無線遠隔制御方法では、有線通信系制御の入出力ポートとＰＦキーに無線通信系制御の機能制御コードを割り当て、かつ機能は有線通信系制御の入出力ポートやＰＦキーと共有とすると共に、機能に割り当てられた機能制御コードを受領した時点と該機能制御コードに基づく機能を実行した時点との少なくとも何れか一方、または両方において応答情報（トランスポンドと記す）を送出させる。機能制御コードを受領した時点の応答情報を前トランスポンドとも記し、機能制御コードに基づく機能を実行した時点の応答情報を後トランスポンドとも記す。
【００２４】
このようにすれば、本発明の実施の形態にかかるレピータ２０による無線遠隔制御方法によれば、有線通信系制御の入出力ポートとＰＦキーに無線通信系制御の機能制御コードを割り当て、かつ機能は有線通信系制御の入出力ポートやＰＦキーと共有としたことにより、有線通信系制御とＰＦキーの設定、確認を行えば、無線通信系制御の設定、確認は無線通信系制御のみの機能に対するものに限定できるので設定、確認が簡易になり、不具合発生時の原因切り分けも容易に行えることになる。
【００２５】
そこで、後トランスポンドのみを利用しては、Ａｃｋ／Ｎａｃｋコードに代えることができて、機能コードに基づく機能が実行されないときには後トランスポンドが送出されず、再送制御を行うことができて、Ａｃｋ／Ｎａｃｋコードは不要となる。
【００２６】
両トランスポンドを利用し、両トランスポンドが出力されないときは通信環境の変化が考えられ、同じ機能コードの再送を試みることができる。また、両トランスポンドを利用して、前トランスポンドは出力されたが、後トランスポンドが出力されないときは、機能コードに基づく機能の実行が不可能と判断して、再度同じ機能コードを送信する前にレピータの状態を変える機能コードを先に送信することによって、再送された機能制御コードの受領の可能性が向上する。
【００２７】
ＰＦキーを押す、もしくは入出力ポートを制御する代わりに、無線通信系制御の機能コードで制御を行うので、排他処理や優先処理が不要になり、ＰＦキーや入出力ポートによる場合と同等の処理が無線通信系制御による機能制御コードで行える。
【００２８】
したがって、手続きコードは不要となり、コードを効率よく利用でき、受領したコードが制御コードか否か、手続きコードか否かのコード識別も不要となる。
【００２９】
有線通信系制御の機能が設定されていない入力ポートにも無線通信系制御の機能コードを割り当てることができるので、前記入力ポートに所望のセンサ例えばドアセンサやスイッチ入力を接続すれば、ドアセンサやスイッチの状態により無線通信系制御による機能コード、ドア開を報知する機能コードを送信することもできる。また、逆に、有線通信系制御の機能が設定されていない出力ポートに無線通信系制御の機能コードを割り当てれば、リレーやスイッチなどを介して被制御機器を制御することも可能になる。
【００３０】
次に、トランスポンドの使用の一例を、チャンネル変更の場合を例に図２（ａ）および（ｂ）により説明する。
【００３１】
レピータ２０には森林警備隊が使用するチャンネル（ＣＨ）１と消防隊が使用するチャンネル（ＣＨ）２が設定されているものとする。このレピータ２０は通常森林警備隊が使用するが、森林火災が発生したときなどは消防隊にレピータ２０の使用を譲り渡す場合が考えられる。このときに、チャンネル１のままチャンネル２にチャンネル変更せよと無線通信系制御の機能制御コードで指示すると、指示を受けた時、前トランスポンドがチャンネル１で送信され、チャンネル変更が実行された時、後トランスポンドがチャンネル２で送信されことになる。森林警備隊も消防隊も、機能制御コード、前トランスポンドおよび後トランスポンドを受けることにより、チャンネル変更が行われたことを認知することができる。消防活動が終了し、森林警備隊にチャンネル１を戻す場合も同様である。
【００３２】
さらに、トランスポンドの使用の他の一例を、リピータの管理者が複数のレピータ２１、２２および２３を同時に制御する場合を図３、図４（ａ）の周波数変更、図４（ｂ）のトランスポンド設定、図４（ｃ）のイベント機能の設定および図５の送受信とも周波数を変更する場合により説明する。図３において実線の矢印は通常の運用時を示し、破線は同時に無線通信系制御を行う時を示している。図４において実線の矢印は通信方向を表す。
【００３３】
まず、前提としてレピータ２１、２２、２３は周波数が重複しないように、任意のチャンネルで独立して運用されている。送信パワーも干渉しないように調整されている。したがって、無線通信系制御でレピータを制御するには、各レピータの周波数ごとに管理者が機能制御コードを送信しなければならない。この前提条件から、同時に制御できるように構成し、さらに通常の独立した運用に戻すには、図４のように各レピータを設定し、図５に示すように制御すればよい。
【００３４】
これをさらに説明する。（ア）管理者はレピータ２１をアクセスできるチャンネルに切り換える。（イ）レピータ２１に対してチャンネル１からチャンネル１５へのチャンネル変更を無線通信系制御の機能制御コードにより指示する。（ウ）これ以後の各レピータの送信出力はレピータ間で送受可能な出力に設定される。（エ）レピータ２１は前トランスポンドでＡｃｋを管理者に返す。（オ）レピータ２１はチャンネル１をチャンネル１５に変更し、後トランスポンドを送信する。（カ）レピータ２２はレピータ２１の後トランスポンドでチャンネル１をチャンネル１５に変更し後トランスポンドを送信する。（キ）レピータ２３はレピータ２２の後トランスポンドでチャンネル１をチャンネル１５に変更し後トランスポンドを送信する。（ク）この時点で管理者→レピータ２１〜レピータ２３→管理者と指示のチェーンが構成されたことになる。
【００３５】
（ケ）管理者ラジオはレピータ２３の後トランスポンドでチャンネル１をチャンネル１５に変更する。（コ）管理者はレピータ２１に対してチャンネル変更（ＣＨ１５）を無線通信系の機能制御コードで指示する。（サ）レピータ２１は前トランスポンドを送信しチャンネル１５をチャンネル１６に変更する。（シ）レピータ２２は前トランスポンドを送信しチャンネル１５をチャンネル１６に変更する。（ス）レピータ２３はチャンネル１５をチャンネル１６に変更し後トランスポンドを送信する。（セ）管理者ラジオはチャンネル１５をチャンネル１６に変更する。（ソ）これで送受信周波数共に変更され、かつ指示のチェーンが構成されたことになる。
【００３６】
（タ）この後は無線通信系制御の任意の機能制御コードで同時に複数のレピータを制御することができる。（チ）最後に、リセットコードを送信すれば、通常チャンネルに復帰しレピータ運用が行われる。
【００３７】
上記したように、図３乃至図５では、レピータを運用している通常のチャンネル周波数から制御専用の周波数に送受信の両方の周波数を切り換えるためにチャンネル１５を一度経由している。もし受信周波数が通常運用している周波数を利用してもよいならば、チャンネル１５を経由しなくても、同じことを実現することができる。この場合でも、シグナリングを通常運用周波数と異なる周波数や機能制御コードに設定すれば、無線通信系制御中に第３者によるアクセスを防げる。この場合に手順を図６に例示している。
【００３８】
以上説明したように本発明のレピータによる無線遠隔制御方法によれば、排他処理が不要になり、無線通信系制御の機能制御コード設定が簡易になり、手続きコードが不要になり、全て機能制御コードのためにコードの使用効率が向上する。また、単純なＡｃｋ／Ｎａｃｋコードではなく、前トランスポンドと後トランスポンドにより、機能制御コードを受領したか否かと機能の実行がなされたか否かを区別して判別することができるので、機能制御コードの再送の是非も判断しやすくなるほか、Ａｃｋ／Ｎａｃｋ以外の用途にも利用することができる。
【図面の簡単な説明】
【００３９】
【図１】本発明の実施の形態にかかるレピータによる無線遠隔制御方法の説明に供する模式図である。
【図２】本発明の実施の形態にかかるレピータによる無線遠隔制御方法に用いるトランスポンド使用の一例の説明に供する模式図である。
【図３】本発明の実施の形態にかかるレピータによる無線遠隔制御方法に用いるトランスポンド使用の他例の説明に供する模式図である。
【図４】本発明の実施の形態にかかるレピータによる無線遠隔制御方法に用いるトランスポンド使用の他例の説明に供する模式図である。
【図５】本発明の実施の形態にかかるレピータによる無線遠隔制御方法に用いるトランスポンド使用の他例の説明に供する模式図である。
【図６】本発明の実施の形態にかかるレピータによる無線遠隔制御方法に用いるトランスポンド使用の他例の変形例の説明に供する模式図である。
【図７】従来のレピータによる無線遠隔制御方法の説明に供する模式図である。
【符号の説明】
【００４０】
１０、２０、２１〜２３  レピータ
【図１】
2005236822.tif 000003
【図２】
2005236822.tif 000004
【図３】
2005236822.tif 000005
【図４】
2005236822.tif 000006
【図５】
2005236822.tif 000007
【図６】
2005236822.tif 000008
【図７】
2005236822.tif 000009